【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
画像を表示するためのシステムであって、
メモリと結合された一つまたは複数のプロセッサを有するコンピューティングシステムであって、
複数の表現画像を患者に順次表示し、前記複数の表現画像はＮ個の表現画像からなる複数のサブセットからなり、前記複数の表現画像中の各表現画像が、（ａ）複数の表現におけるそれぞれの表現に独立して関連付けられ、（ｂ）前記それぞれの表現の強度を第１の強度レベルから第２の強度レベルまでの範囲の強度スケールによって示し、（ｃ）前記患者における扁桃体の活性化を引き起こすように構成されており、
前記複数の表現画像中の各Ｎ表現画像サブセットの完了に応答して、前記サブセット中の最初の表現画像と最後の表現画像とが同じ感情を表しているかどうかを尋ねる問合せに対する前記患者からの反応を受け取り、
前記複数の表現画像中の各Ｎ表現画像サブセットに対し、前記Ｎ表現画像サブセットについての前記問合せに対する前記反応に少なくとも基づいて、スコアを決定し、
前記複数の表現画像中の前記Ｎ表現画像サブセットに対して決定された複数のスコアに少なくとも基づいて、Ｎの値を新たな値にリセットする、
ように構成されたコンピューティングシステムを備える、
システム。
【請求項２】
前記コンピューティングシステムは、前記複数の表現画像の各表現画像を、ある時間のあいだ前記患者に表示するように更に構成されており、前記複数の表現画像中の各表現画像の前記時間はランダムかつ無関係である、請求項１に記載のシステム。
【請求項３】
前記複数の表現画像中の少なくとも一つのサブセットが、前記複数の表現画像中の少なくとも一つの別のサブセットと少なくとも部分的に重複している、請求項１に記載のシステム。
【請求項４】
前記コンピューティングシステムは、前記サブセット中の前記最初の表現画像と前記最後の表現画像とが同じ感情を表しているかどうかを示す前記反応を、前記患者から入出力（Ｉ／Ｏ）装置を介して受け取るように更に構成されている、請求項１に記載のシステム。
【請求項５】
前記コンピューティングシステムは、各Ｎ表現画像サブセットについての前記問合せに対する前記患者からの正しい反応の数を、前記各Ｎ表現画像サブセットに対する前記スコアとして決定するように更に構成されている、請求項１に記載のサブシステム。
【請求項６】
前記コンピューティングシステムは、各Ｎ表現画像サブセットについての前記問合せに対する前記患者からの正しい反応の数及び反応の総数に少なくとも基づいて、前記Ｎの値を前記新たな値にリセットするように更に構成されている、請求項１に記載のシステム。
【請求項７】
前記コンピューティングシステムは、
前記各Ｎ表現画像各サブセットについての前記問合せに対する前記患者からの正しい反応の割合が第１閾値よりも大きいという判定に応答して、前記Ｎの値をＮ＋Ｑにリセットし、
前記正しい反応の割合が第２閾値よりも小さいという判定に応答して、前記Ｎの値をＮ−Ｑにリセットし、
前記正しい反応の割合が前記第１閾値よりも大きく、かつ前記第２閾値よりも小さいと判定された場合には、前記Ｎの値をリセットしない、
ように更に構成されている、請求項１に記載のシステム。
【請求項８】
前記コンピューティングシステムは、前記新たなＮの値に従って、前記複数の表現画像を順次表示すること、前記反応を受け取ること、前記スコアを決定すること、および前記Ｎの値をリセットすることを繰り返すように更に構成されている、請求項１に記載のシステム。
【請求項９】
前記コンピューティングシステムは、前記新たなＮの値に少なくとも基づいて前記患者に対する治療レジメンを提供するように更に構成されており、前記治療レジメンは、治療セッションを行う頻度および回数ならびに、医薬組成物、脳刺激介入または心理療法のうちの少なくとも一つの使用を特定する、請求項１に記載のシステム。
【請求項１０】
前記コンピューティングシステムは、前記新たなＮの値に少なくとも基づいて生成された前記患者に対する治療レジメンをリモートコンピューティング機器に送信するように更に構成されている、請求項１に記載のシステム。
【請求項１１】
画像を表示する方法であって、
コンピューティングシステムにより、複数の表現画像を患者に順次表示することであって、前記複数の表現画像はＮ個の表現画像からなる複数のサブセットからなり、前記複数の表現画像中の各表現画像が、（ａ）複数の表現におけるそれぞれの表現に独立して関連付けられ、（ｂ）前記それぞれの表現の強度を第１の強度レベルから第２の強度レベルまでの範囲の強度スケールによって示し、（ｃ）前記患者における扁桃体の活性化を引き起こすように構成されている、ことと、
前記コンピューティングシステムにより、前記複数の表現画像中の各Ｎ表現画像サブセットの完了に応答して、前記サブセット中の最初の表現画像と最後の表現画像とが同じ感情を表しているかどうかを尋ねる問合せに対する前記患者からの反応を受け取ることと、
前記コンピューティングシステムにより、前記複数の表現画像中の各Ｎ表現画像サブセットに対し、前記Ｎ表現画像サブセットについての前記問合せに対する前記反応に少なくとも基づいて、スコアを決定することと、
前記コンピューティングシステムにより、前記複数の表現画像中の前記Ｎ表現画像サブセットに対して決定された複数のスコアに少なくとも基づいて、Ｎの値を新たな値にリセットすることと、
を含む、方法。
【請求項１２】
表示することは、前記複数の表現画像の各表現画像を、ある時間のあいだ前記患者に表示することを更に含み、前記複数の表現画像中の各表現画像の前記時間はランダムかつ無関係である、請求項１１に記載の方法。
【請求項１３】
前記複数の表現画像中の少なくとも一つのサブセットが、前記複数の表現画像中の少なくとも一つの別のサブセットと少なくとも部分的に重複している、請求項１１に記載の方法。
【請求項１４】
受け取ることは、前記サブセット中の前記最初の表現画像と前記最後の表現画像とが同じ感情を表しているかどうかを示す前記反応を、前記患者から入出力（Ｉ／Ｏ）装置を介して受け取ることを更に含む、請求項１１に記載の方法。
【請求項１５】
決定することは、各Ｎ表現画像サブセットについての前記問合せに対する前記患者からの正しい反応の数を、前記各Ｎ表現画像サブセットに対する前記スコアとして決定することを更に含む、請求項１１に記載の方法。
【請求項１６】
リセットすることは、各Ｎ表現画像サブセットについての前記問合せに対する前記患者からの正しい反応の数及び反応の総数に少なくとも基づいて、前記Ｎの値を前記新たな値にリセットすることを更に含む、請求項１１に記載の方法。
【請求項１７】
リセットすることは、
前記各Ｎ表現画像各サブセットについての前記問合せに対する前記患者からの正しい反応の割合が第１閾値よりも大きいという判定に応答して、前記Ｎの値をＮ＋Ｑにリセットすることと、
前記正しい反応の割合が第２閾値よりも小さいという判定に応答して、前記Ｎの値をＮ−Ｑにリセットすることと、
前記正しい反応の割合が前記第１閾値よりも大きく、かつ前記第２閾値よりも小さいと判定された場合には、前記Ｎの値をリセットしないことと、
を更に含む、請求項１１に記載の方法。
【請求項１８】
前記新たなＮの値に従って、前記複数の表現画像を順次表示すること、前記反応を受け取ること、前記スコアを決定すること、および前記Ｎの値をリセットすることを繰り返すことを更に含む、請求項１１に記載の方法。
【請求項１９】
前記コンピューティングシステムにより、前記新たなＮの値に少なくとも基づいて前記患者に対する治療レジメンを提供することを更に含み、前記治療レジメンは、治療セッションを行う頻度および回数ならびに、医薬組成物、脳刺激介入または心理療法のうちの少なくとも一つの使用を特定する、請求項１１に記載の方法。
【請求項２０】
前記コンピューティングシステムにより、前記新たなＮの値に少なくとも基づいて生成された前記患者に対する治療レジメンをリモートコンピューティング機器に送信することを更に含む、請求項１１に記載の方法。